(57)【要約】【課題】  NTSC方式のテレビジョンモニタに接続された時もハイビジョン用のモニタに接続された場合も好適な画像信号を出力する。【解決手段】  本発明の撮像装置は、被写体を撮像する撮像部１と、映像信号を記録する記録媒体５と、映像信号を表示する画像表示部６と、ユーザーの選択により各種映像出力を設定可能とするユーザー設定部１０と、設定に応じて、映像信号を高精細度または標準映像信号に変換する画像処理部３と、高精細度または標準映像信号を各種テレビジョンモニタに出力する映像出力端子８に接続される各種テレビジョンモニタ用接続ケーブルの接続状態を判別し、判別に応じて、高精細度または標準映像信号を信号切り替え部７により選択して映像出力端子に出力し、選択された信号に応じて、各種テレビジョンモニタの画面表示内容及びユーザーインターフェースを切り替えるシステム制御部４を備えた。【選択図】        図１
2005101865.tif 000002
【特許請求の範囲】
【請求項１】
取得された映像信号を信号処理して、ケーブルを介して接続されるテレビジョンモニタに映像信号を出力する撮像装置において、
被写体を撮像した映像信号を出力する撮像手段と、
上記撮像手段からの映像信号を記録媒体に記録する記録手段と、
上記撮像手段からの映像信号または上記記録手段に記録された映像信号を再生して表示する表示手段と、
ユーザーの選択により各種映像出力を設定可能とする設定手段と、
上記設定手段の設定に応じて、上記撮像手段からの映像信号または上記記録手段からの映像信号を高解像度の高精細度映像信号または標準解像度の標準映像信号に変換する変換手段と、
上記高精細度映像信号または上記標準映像信号を各種テレビジョンモニタに出力する映像出力端子に接続される各種テレビジョンモニタ用接続ケーブルの接続状態を判別する判別手段と、
上記判別手段による判別に応じて、上記高精細度映像信号または上記標準映像信号を選択して上記映像出力端子に出力する選択手段と、
上記選択手段により選択された上記高精細度映像信号または上記標準映像信号に応じて、上記各種テレビジョンモニタの画面表示内容及びユーザーインターフェースを切り替える切替手段を備えたことを特徴とする撮像装置。
【請求項２】
請求項１記載の撮像装置において、
上記判別手段による判別により、上記映像出力端子に各種テレビジョンモニタ用接続ケーブルが接続されていないと判別されたとき、上記選択手段は上記標準映像信号を選択して上記映像出力端子に出力することを特徴とする撮像装置。
【請求項３】
請求項１記載の撮像装置において、
上記撮像手段からの映像信号を上記記録媒体に保存する撮影モードと、上記記録媒体に保存された映像信号を再生する再生モードを有し、
上記撮影モードでかつ上記表示手段の表示がされる場合は、上記映像出力端子に対する各種テレビジョンモニタ用接続ケーブルの接続状態にかかわらず、上記選択手段は上記標準映像信号を選択して上記映像出力端子に出力することを特徴とする撮像装置。
【請求項４】
請求項１記載の撮像装置において、
上記切替手段により上記各種テレビジョンモニタに切り替えて表示される画面表示内容及びユーザーインターフェースは、上記撮像手段により撮像された画像を用いて予め決められた画像数による縦×横のマトリックスのレイアウトで縮小表示されるサムネイル画像の表示数および上記サムネイル画像に対するグラフィカルユーザーインターフェースの表示数であることを特徴とする撮像装置。
【請求項５】
請求項１記載の撮像装置において、
上記切替手段により上記各種テレビジョンモニタに切り替えて表示される画面表示内容及びユーザーインターフェースは、画面に対する画像の表示領域および画面の輝度または色に関する情報であることを特徴とする撮像装置。
【請求項６】
取得された映像信号を信号処理して、ケーブルを介して接続されるテレビジョンモニタに映像信号を出力する撮像装置における映像出力方法において、
被写体を撮像手段により撮像した映像信号を出力するステップと、
上記撮像手段からの映像信号を記録手段により記録媒体に記録するステップと、
上記撮像手段からの映像信号または上記記録手段に記録された映像信号を再生して表示手段に表示するステップと、
ユーザーの設定手段による選択により各種映像出力を設定可能とするステップと、
上記設定手段の設定に応じて、上記撮像手段からの映像信号または上記記録手段からの映像信号を変換手段により高解像度の高精細度映像信号または標準解像度の標準映像信号に変換するステップと、
上記高精細度映像信号または上記標準映像信号を各種テレビジョンモニタに出力する映像出力端子に接続される各種テレビジョンモニタ用接続ケーブルの接続状態を判別手段により判別するステップと、
上記判別手段による判別に応じて、上記高精細度映像信号または上記標準映像信号を選択手段により選択して上記映像出力端子に出力するステップと、
上記選択手段により選択された上記高精細度映像信号または上記標準映像信号に応じて、上記各種テレビジョンモニタの画面表示内容及びユーザーインターフェースを切替手段により切り替えるステップを備えたことを特徴とする映像出力方法。
【請求項７】
請求項６記載の映像出力方法において、
上記判別手段による判別により、上記映像出力端子に各種テレビジョンモニタ用接続ケーブルが接続されていないと判別されたとき、上記選択手段は上記標準映像信号を選択して上記映像出力端子に出力することを特徴とする映像出力方法。
【請求項８】
請求項６記載の映像出力方法において、
上記撮像手段からの映像信号を上記記録媒体に保存する撮影モードと、上記記録媒体に保存された映像信号を再生する再生モードを有し、
上記撮影モードでかつ上記表示手段の表示がされる場合は、上記映像出力端子に対する各種テレビジョンモニタ用接続ケーブルの接続状態にかかわらず、上記選択手段は上記標準映像信号を選択して上記映像出力端子に出力することを特徴とする映像出力方法。
【請求項９】
請求項６記載の映像出力方法において、
上記切替手段により上記各種テレビジョンモニタに切り替えて表示される画面表示内容及びユーザーインターフェースは、上記撮像手段により撮像された画像を用いて予め決められた画像数による縦×横のマトリックスのレイアウトで縮小表示されるサムネイル画像の表示数および上記サムネイル画像に対するグラフィカルユーザーインターフェースの表示数であることを特徴とする映像出力方法。
【請求項１０】
請求項６記載の映像出力方法において、
上記切替手段により上記各種テレビジョンモニタに切り替えて表示される画面表示内容及びユーザーインターフェースは、画面に対する画像の表示領域および画面の輝度または色に関する情報であることを特徴とする映像出力方法。
【発明の詳細な説明】
【技術分野】
【０００１】
本発明は、ケーブルを介して接続されるテレビジョンモニタに映像信号を出力する撮像装置及び映像出力方法に関する。
【背景技術】
【０００２】
現在、国内ではテレビジョン（TV）モニタとしてNTSC方式のテレビジョンモニタ以外にハイビジョン放送に対応した大型のモニタも市場に多く出回っている。
【０００３】
このハイビジョンTV用のモニタはＮＴＳＣ（National Television System Committee）方式の有効画素数がおよそ横７２０×縦４８０の標準映像信号（SD（Standard definition）信号）による標準画像に対して有効画素数が横１９２０×縦１０８０程度の解像度を有しており、NTSC方式のテレビジョンに比べて高画質、高精細な映像信号（HD（High definition）信号）による高精細画像を表現できるものとなっている。
【０００４】
一方、ディジタルスティルカメラなどのLCD（Liquid Crystal Display）ディスプレイは携帯性を重視するため、小型の１.０〜２.５インチで６万〜１２万画素の解像度を有する装置が使われている。
【０００５】
また、特許文献１には、画像を取り込む画像取り込み手段と、画像取り込み手段により取り込まれた画像をデジタル記録する記録手段と、記録手段により記録された画像データを、アナログテレビジョン放送のフォーマットに対応させて出力する第１の出力手段と、記録手段により記録された画像データを、デジタルテレビジョン放送のフォーマットに対応させて出力する第２の出力手段とを備えたデジタルカメラ装置という構成が開示され、これにより、将来、放送開始が予定されているデジタルTV放送に採用される新フォーマットに対応したTV受像機に対して、新フォーマットに対応した画像データを出力することが可能となるという点が開示されている。
【０００６】
また、特許文献2には、テレビジョン放送による映像を表示可能な表示手段に、所定のデータを表示する制御を行う表示制御装置であって、表示手段の解像度を検出する検出手段と、検出手段により検出された解像度に応じて、所定のデータを間引く間引き手段を備えた表示制御装置という構成が開示され、これにより、テレビジョン放送による映像を表示するテレビジョン受像機などに、HTML（Hyper Text Markup Language）データなどを表示することができるという点が開示されている。
【０００７】
また、特許文献３には、ＮＴＳＣ映像信号出力端子と、ハイビジョン映像信号出力端子と、これらのどちらの端子にテレビジョンモニタが接続されているかを判別する回路と、映像信号のフォーマットを変換する回路とを具備し、映像出力端子に接続されたテレビジョンモニタの種類に応じて、入力された映像信号のフォーマットを変換し、その映像上にその解像度に応じて異なったＯＳＤ画面を重畳して出力するデジタル放送受信機という構成が開示され、これにより、ハイビジョンモニタが接続されている場合には、ハイビジョン解像度のＯＳＤ（On Screen Display）画面を重畳して出力するという点が開示されている。
【０００８】
【特許文献１】特開2000−138889号公報
【特許文献２】特開平9−9160号公報
【特許文献３】特開平11−168679号公報
【発明の開示】
【発明が解決しようとする課題】
【０００９】
上述したディジタルスティルカメラで撮像した標準映像信号による画像を大型のハイビジョンモニタで視聴しようとした場合、解像度の低いLCDディスプレイに合わせた表示内容がそのままハイビジョンモニタ用のアスペクト比で拡大されたものとなり、ハイビジョンモニタの高画質、高精細な表示性能を生かすことができず、表示される画面も画質が粗く見苦しいものとなるという不都合があった。
【００１０】
また、特許文献１では、アナログテレビジョン放送のフォーマットに加えて、デジタルテレビジョン放送のフォーマットに対応させて出力する点が開示されているのみであって、接続されるモニタの種類と映像信号の種類との対応については何ら開示されていないため、モニタの種類に応じた映像信号の種類を出力することができなかった。
【００１１】
また、特許文献２では、モニタの解像度に応じた表示方法が開示されているが、解像度に応じてデータを間引くのみであるため、解像度の高いモニタも解像度の低いモニタも同じ内容の表示となり、ハイビジョンモニタの高画質表示や情報表示性能を完全に生かせなかった。
【００１２】
また、特許文献３では、ハイビジョン解像度のＯＳＤ画面を重畳して出力するという点が開示されているのみであって、ハイビジョンモニタの高画質表示や情報表示性能を完全に生かせなかった。
【００１３】
この発明は、NTSC方式のテレビジョンモニタに接続された時もハイビジョン用のモニタに接続された場合も好適な画像信号を出力することが可能な撮像装置を提供することを課題とする。
【課題を解決するための手段】
【００１４】
上記課題を解決し、本発明の目的を達成するため、本発明の撮像装置は、被写体を撮像した映像信号を出力する撮像手段と、撮像手段からの映像信号を記録媒体に記録する記録手段と、撮像手段からの映像信号または記録手段に記録された映像信号を再生して表示する表示手段と、ユーザーの選択により各種映像出力を設定可能とする設定手段と、設定手段の設定に応じて、撮像手段からの映像信号または記録手段からの映像信号を高解像度の高精細度映像信号または標準解像度の標準映像信号に変換する変換手段と、高精細度映像信号または標準映像信号を各種テレビジョンモニタに出力する映像出力端子に接続される各種テレビジョンモニタ用接続ケーブルの接続状態を判別する判別手段と、判別手段による判別に応じて、高精細度映像信号または標準映像信号を選択して映像出力端子に出力する選択手段と、選択手段により選択された高精細度映像信号または標準映像信号に応じて、各種テレビジョンモニタの画面表示内容及びユーザーインターフェースを切り替える切替手段を備えたものである。
【００１５】
これにより、標準映像信号による標準方式テレビジョンモニタと高精細度映像信号に対応したハイビジョン方式テレビジョンモニタに対応し、標準映像信号と高精細度映像信号とを選択可能な画像出力機能を持つ撮像装置により、選択したテレビジョン方式によって表示画面内容及びユーザーインターフェースを切り換えるようにすることができる。
【００１６】
また、本発明の映像出力方法は、被写体を撮像手段により撮像した映像信号を出力するステップと、撮像手段からの映像信号を記録手段により記録媒体に記録するステップと、撮像手段からの映像信号または記録手段に記録された映像信号を再生して表示手段に表示するステップと、ユーザーの設定手段による選択により各種映像出力を設定可能とするステップと、設定手段の設定に応じて、撮像手段からの映像信号または記録手段からの映像信号を変換手段により高解像度の高精細度映像信号または標準解像度の標準映像信号に変換するステップと、高精細度映像信号または標準映像信号を各種テレビジョンモニタに出力する映像出力端子に接続される各種テレビジョンモニタ用接続ケーブルの接続状態を判別手段により判別するステップと、判別手段による判別に応じて、高精細度映像信号または標準映像信号を選択手段により選択して映像出力端子に出力するステップと、選択手段により選択された高精細度映像信号または標準映像信号に応じて、各種テレビジョンモニタの画面表示内容及びユーザーインターフェースを切替手段により切り替えるステップを備えたものである。
【００１７】
これにより、標準映像信号による標準方式テレビジョンモニタと高精細度映像信号に対応したハイビジョン方式テレビジョンモニタに対応し、標準映像信号と高精細度映像信号とを選択可能な画像出力機能により、選択したテレビジョン方式によって表示画面内容及びユーザーインターフェースを切り換えるようにすることができる。
【発明の効果】
【００１８】
本発明によれば、出力する映像信号の解像度に応じて出力する画像の表示内容を切り換えるために、テレビジョンモニタの種類に適した映像を表示することができ、接続されたテレビジョンモニタの性能を充分生かすことができる。
【００１９】
また、ハイビジョンモニタ使用時においてはその解像度の高さを利用し、機能数や操作性を向上させたグラフィカルユーザーインターフェース（GUI）を提供することができる。
【００２０】
また、映像出力端子に対するケーブルの接続を検出した時のみハイビジョン対応の画面表示を行うので、本体付属のLCDディスプレイやビューファインダーを使用する時に使用者に切り換えの負担はかからないようにすることができる。
【００２１】
また、撮影モードにおいては常に本体付属のLCDディスプレイやビューファインダーに適した低解像度の画像になり、使用者の撮影を妨げないようにすることができる。
【発明を実施するための最良の形態】
【００２２】
以下、本発明の実施の形態を、図面を参照して説明する。
図１は、本発明の実施の形態による撮像装置の構成を示すブロック図である。
図１において、撮像部１は図示しない光学系により結像された被写体映像を固体撮像素子より読み出し、映像信号として出力する。画像処理部３は撮像部１から取り込んだ映像信号に自動露出やホワイトバランス処理等を行う。画像メモリ２は画像処理部３により処理された画像データを一時的に記憶する。また画像処理部３は、システム制御部４から記録の要求があった場合は画像メモリ２に一時的に記憶されている画像データを圧縮または非圧縮で記憶媒体５に記録し、システム制御部４から再生の要求があった場合は記憶媒体５より画像データを読み出し、伸張処理を行い画像メモリ２に出力する。
【００２３】
画像表示部６は画像メモリ２に一時記憶されている画像データにＯＳＤによるデータを加えたものが表示される。信号切り替え部７は画像処理部３により画像メモリ２に一時記憶されている画像データとＯＳＤによるデータを加えたものをHDTV信号１１にエンコードしたものと、SDTV信号１２にエンコードしたものが入力され、システム制御部４からの切り替え信号にて選択されたHDTV信号１１またはSDTV信号１２を映像出力端子８に出力する。映像出力端子８はTＶモニタ接続用のケーブルが接続されていること及びケーブルの種類を検出する機能を有し、検出結果は接続及びケーブルの種類検出信号１４としてシステム制御部４に通知される。切り替え状態表示LED９はシステム制御部４からの切り替え信号１３の状態を表示する。
【００２４】
ここで、ユーザー設定部１０はユーザーの選択により各種映像出力を設定可能とし、ユーザー設定部１０の設定に応じて、画像処理部３は、撮像部１からの映像信号または記録媒体５からの映像信号を高解像度の高精細度映像信号または標準解像度の標準映像信号に変換する機能を有するように構成される。
【００２５】
また、システム制御部４は高精細度映像信号または標準映像信号を各種テレビジョンモニタに出力する映像出力端子８に接続される各種テレビジョンモニタ用接続ケーブルの接続状態を判別し、判別手段による判別に応じて、信号切り替え部７は高精細度映像信号または標準映像信号を選択して映像出力端子８に出力し、システム制御部４は選択された高精細度映像信号または標準映像信号に応じて、各種テレビジョンモニタの画面表示内容及びユーザーインターフェースを切り替える機能を有するように構成される。
【００２６】
図２は、テレビジョンモニタ用接続ケーブル配線図であり、図２ＡはNTSC/PAL方式TV用ケーブル配線例、図２Ｂはハイビジョン方式TV用ケーブル配線例である。
まず、映像出力端子８に標準映像信号に対応したNTSC/PAL方式TV用ケーブルが接続された場合を説明する。
【００２７】
図２Ａにおいて、映像出力端子８の、左オーディオ信号を出力するAUDIO L端子２１−１、左オーディオ信号用グランドAUDIO L GND端子２１−２、右オーディオ信号を出力するAUDIO R端子２２−１、右オーディオ信号用グランドAUDIO R GND端子２２−２、ビデオ輝度信号（Y）／色信号（C）を出力するVIDEO Y/C端子２３−１、及びビデオ輝度信号（Y）／色信号（C）用グランドVIDEO Y/C GND端子２３−２に対して、図示しないコネクタを介してNTSC/PAL方式TV用ケーブル３３が接続され、NTSC/PAL方式TV用端子３４には図示しないNTSC/PAL方式テレビジョンモニタが接続される。
【００２８】
ここで、映像出力端子８の上述した端子にNTSC/PAL方式TV用ケーブル３３が接続されると、これと同時に、映像出力端子８の、ケーブル接続検出端子２４−１とグランドGND端子２４−２とが、２５で示すように接続される。これにより、ケーブル接続検出端子２４−１の電圧レベルがグランドレベルになるので、映像出力端子８はこのNTSC/PAL方式TV用ケーブル３３が接続された状態を接続及びケーブル種類検出信号としてシステム制御部４へ供給することができる。
【００２９】
次に、映像出力端子８に高精細度映像信号に対応したハイビジョン方式TV用ケーブルが接続された場合を説明する。
図２Ｂにおいて、映像出力端子８の、左オーディオ信号を出力するAUDIO L端子２６−１、左オーディオ信号用グランドAUDIO L GND端子２６−２、右オーディオ信号を出力するAUDIO R端子２７−１、右オーディオ信号用グランドAUDIO R GND端子２７−２、ビデオ輝度信号（Y）を出力するVIDEO Y端子２８−１、及びビデオ輝度信号（Y）用グランドVIDEO Y GND端子２８−２、ビデオ色差信号（Pb）を出力するVIDEO Pb端子２９−１、及びビデオ色差信号（Pb）用グランドVIDEO Pb GND端子２９−２、ビデオ色差信号（Pｒ）を出力するVIDEO Pb端子３０−１、及びビデオ色差信号（Pｒ）用グランドVIDEO Pｒ GND端子３０−２に対して、図示しないコネクタを介してハイビジョン方式TV用ケーブル３５が接続され、ハイビジョン方式TV用端子３６には図示しないハイビジョン方式テレビジョンモニタが接続される。
【００３０】
ここで、映像出力端子８の上述した端子にハイビジョン方式TV用ケーブル３５が接続されると、これと同時に、映像出力端子８の、ケーブル種類判別端子３１−１とケーブル接続検出端子３１−２とグランドGND端子３１−３とが、３２で示すように接続される。これにより、ケーブル種類判別端子３１−１及びケーブル接続検出端子３１−２の電圧レベルがグランドレベルになるので、映像出力端子８はこのハイビジョン方式TV用ケーブル３５が接続された状態を接続及びケーブル種類検出信号としてシステム制御部４へ供給することができる。
【００３１】
以下に、具体的な動作例を説明する。
図３は、映像出力端子への切り替え制御の動作を示すフローチャートである。
図３において、始めにステップS１で、撮影モードであるか否かの判断をする。具体的には、システム制御部４は、撮影モードであるかどうかの判断を行い、撮影モードの場合は、ステップＳ６へ移行して、標準映像信号による標準方式テレビジョンモニタ（SDTV）出力モードに切り替えをする。
【００３２】
これは撮影モードでは撮影者は撮像装置本体を操作するため標準映像信号による画像表示に対応したLCDやビューファインダーへの標準画像の表示を優先するためである。ここで、撮像装置は、撮像部１からの映像信号を記録媒体５に保存する撮影モードと、記録媒体５に保存された映像信号を再生する再生モードを有し、撮影モードでかつ撮像装置は、画像表示部６の表示がされる場合は、映像出力端子８に対する各種テレビジョンモニタ用接続ケーブルの接続状態にかかわらず、システム制御部４は、信号切り替え部７により標準映像信号を選択して映像出力端子８に出力する。
【００３３】
次に、ステップS１で再生モードのときは、ステップS２へ移行して、映像出力端子にケーブルが接続されているか否かの判断を行い、ケーブルが接続されていない場合は、ステップＳ６へ移行して、標準映像信号による標準方式テレビジョンモニタ（SDTV）出力モードに切り替えをする。これは撮像装置は、画像表示部６として標準映像信号による画像表示に対応したLCDやビューファインダーしか表示するものがないことが明らかなので標準映像信号による画像表示に対応したLCDやビューファインダーに最適な標準映像信号による画像の表示を行うためである。
【００３４】
次に、ステップS２で映像出力端子にケーブルが接続されているときは、ステップS３へ移行して、そのケーブルが高精細度映像信号に対応したハイビジョン方式テレビジョンモニタ（HDTV）用のものであるか否かを判断する。これは映像出力端子８から出力される標準映像信号に対応するように映像出力端子８に標準方式テレビジョンモニタ（STDV）が接続されている場合に、ハイビジョン方式テレビジョンモニタ（HDTV）用の高精細度映像信号が出力されると表示が適正でなくなりユーザーに混乱を招くのを防ぐためである。
【００３５】
次に、ステップS３でケーブルが高精細度映像信号に対応したハイビジョン方式テレビジョンモニタ（HDTV）用のものであるときは、ステップS４へ移行して、ユーザー設定が高精細度映像信号に対応したハイビジョン方式テレビジョンモニタ（HDTV）出力モードの出力を許可しているか否かを判断する。ステップS４でユーザー設定が高精細度映像信号によるハイビジョン方式テレビジョンモニタ（HDTV）出力モードの出力を許可しているときは、ステップS５へ移行して、高精細度映像信号によるハイビジョン方式テレビジョンモニタ（HDTV）出力モードに切り替えをする。
【００３６】
これは、高精細度映像信号に対応したハイビジョン方式テレビジョンモニタ（HDTV）は標準映像信号による標準方式テレビジョンモニタ（SDTV）出力のモードもサポートしており、どちらを使うかをユーザー設定部１０によりユーザーが選択することができるようにするものである。
【００３７】
図４は、モニタの画面表示例を示すものであり、図４Ａは解像度の低いNTSCモニタやLCD画面表示用の画面例、図４Ｂは解像度の高いハイビジョンモニタ用の画面例である。
図４はテレビジョンモニタにおけるサムネイル画像の一覧表示の例である。
【００３８】
図４Ａに示すように、解像度の低い標準方式テレビジョンモニタとしてNTSCモニタやLCD、ビューファインダー用の出力表示モードでは、画面左側に現在表示されているサムネイル画像が図１の記憶媒体５に記録されている全画像枚数のどの部分にあたるかを表示するポジションバー４１と、画面中央に縮小画像であるサムネイル画像４２を縦２×横３個の合計６個と、画面下側にＧＵＩ４３による、戻り、消去及びプロテクトの操作ボタンが3つ表示されている。
【００３９】
これに対して、図４Ｂに示すように、解像度の高い高精細度映像信号に対応したハイビジョン方式テレビジョンモニタ（HDTV）を接続した出力表示モードの場合は、画面左側に現在表示されているサムネイル画像が図１の記憶媒体５に記録されている全画像枚数のどの部分にあたるかを表示するポジションバー４４と、画面中央に縮小画面であるサムネイル画像４５を縦４×横６個の合計２４個と、画面下側にＧＵＩ４３による、戻り、消去、プロテクト、詳細、DPOF及び回転の操作ボタンを６個表示し、ハイビジョン方式テレビジョンモニタ（HDTV）の表示性能を生かした画面表示とそれに付随するユーザーインターフェースの切り換え例を示したものである。
【００４０】
これにより、標準映像信号による標準方式テレビジョンモニタ（ＮＴＳＣ方式）と高精細度映像信号に対応したハイビジョン方式テレビジョンモニタに対応し、標準映像信号と高精細度映像信号とを選択可能な画像出力機能を持つ撮像装置により、選択したテレビジョン方式によって表示画面内容としてサムネイル画像の表示数及びユーザーインターフェースとしてＧＵＩによる操作ボタンの表示数を切り換えるようにすることができる。
【００４１】
図５は、モニタの画面情報表示例であり、図５Ａは解像度の低いNTSCモニタやLCD画面表示用の画面例、図５Ｂは解像度の高いハイビジョンモニタ用の画面例である。
図５Ａに示すように、解像度の低い標準方式テレビジョンモニタとしてNTSCモニタやLCD、ビューファインダー用の表示モードでは、画面５１の輝度のヒストグラム情報５２を再生した画面５１の上に重ねて表示している。
【００４２】
これに対して、図５Ｂに示すように、解像度の高い高精細度映像信号に対応したハイビジョン方式テレビジョンモニタ（HDTV）を接続した場合は、全体画面のうち画面中央に表示される再生した画像５３に画面の輝度のヒストグラム情報５４を重ねる表示はせず、情報表示領域として画面の右下に表示を行い、さらに画面の色成分情報５５を画面右上に追加表示を行うようにする。
【００４３】
これにより、標準映像信号による標準方式テレビジョンモニタ（ＮＴＳＣ方式）と高精細度映像信号に対応したハイビジョン方式テレビジョンモニタに対応し、標準映像信号と高精細度映像信号とを選択可能な画像出力機能を持つ撮像装置により、選択したテレビジョン方式によって表示画面内容として標準または高精細度の画像の表示領域及びユーザーインターフェースとして画面の輝度のヒストグラム情報および画面の色成分情報の表示領域を切り換えるようにすることができる。
【００４４】
図６は、モニタの画面表示の動作を示すフローチャートである。
図６において、ステップS１１で、サムネイルモード表示制御をスタートすると、ステップS１２で、システム制御部４は、ミュートオンとして、映像出力端子８から出力される映像信号の出力レベルを下げる。
【００４５】
ステップS１３で、システム制御部４は、映像モードが、高精細度映像信号によるハイビジョン方式テレビジョンモニタ（HDTV）出力モードであるか標準映像信号による標準方式テレビジョンモニタ（SDTV）出力モードであるかを判断する。
【００４６】
ステップS１３で映像モードが高精細度映像信号によるハイビジョン方式テレビジョンモニタ（HDTV）出力モードであるときは、ステップS１４へ移行して、システム制御部４は、ハイビジョン方式テレビジョンモニタ（HDTV）出力モードテーブルを映像信号の表示制御用として設定する。
【００４７】
また、ステップS１３で映像モードが標準映像信号による標準方式テレビジョンモニタ（SDTV）出力モードであるときは、ステップS１５へ移行して、システム制御部４は、標準方式テレビジョンモニタ（SDTV）出力モードテーブルを映像信号の表示制御用として設定する。
【００４８】
次に、ステップS１６で、システム制御部４は、ステップＳ１４又はステップS１５で設定された各モードのテーブルに基づいてポジションバーを表示する制御を行う。ステップS１７で、システム制御部４は、ステップＳ１４又はステップS１５で設定された各モードのテーブルに基づいてＧＵＩ表示をする制御を行う。ステップS１８で、システム制御部４は、ステップＳ１４又はステップS１５で設定された各モードのテーブルに基づいてサムネイル画像を表示する制御を行う。
【００４９】
そして、最後にステップS１９で、システム制御部４は、ミュートオフとして、映像出力端子８から出力される映像信号の出力レベルを元に戻すように上げる。
【００５０】
次に、上述したステップＳ１４及びステップS１５で設定される各モードのテーブルについて説明する。
図７は、テーブル構造を示す図である。
図７において、ハイビジョン方式テレビジョンモニタ（HDTV）出力モードテーブル７１では、表示サムネイル数（TMAX）７３は、２４個、表示ＧＵＩ数（GMAX）７４は、６個であり、座標（X1、Y1、X2、Y２）７５は、ポジションバー７５−１が、（１２，２９，５１，４３７）、ＧＵＩ−１（７５−２）が、（６１，４０２，１５４，４３７）、ＧＵＩ−・・（７５−３）が、（・・・）、ＧＵＩ−GMAX（７５−４）が、（６７６，４０２，７６８，４３７）、サムネイル−１（７５−５）が、（６１，２９，１５４，９３）、サムネイル−・・（７５−６）が、（・・・）、サムネイル−TMAX（７５−７）が、（６７６，３０９，７６８，３７２）である。
【００５１】
また、標準方式テレビジョンモニタ（SDTV）出力モードテーブル７２は、表示サムネイル数（TMAX）７３は、６個、表示ＧＵＩ数（GMAX）７４は、６個であり、座標（X1、Y1、X2、Y２）７５は、ポジションバー７５−１が、（１４，２９，５１，４３７）、ＧＵＩ−１（７５−２）が、（６１，４０２，２７７，４３７）、ＧＵＩ−・・（７５−３）が、（・・・）、ＧＵＩ−GMAX（７５−４）が、（５５３，４０２，７６８，４３７）、サムネイル−１（７５−５）が、（６１，２９，２７７，１８７）、サムネイル−・・（７５−６）が、（・・・）、サムネイル−TMAX（７５−７）が、（５５３，２１６，７６８，３７２）である。
【００５２】
図８は、座標情報の表し方を示す図である。上述した図7の座標（X1、Y1、X2、Y２）75により指定される座表情報がモニタ上に８１で表される。
【００５３】
図９は、サムネイル画像表示の動作を示すフローチャートである。
図９において、ステップS２１で、サムネイル画像表示制御をスタートすると、ステップS２２で、システム制御部４は、サムネイル表示座表テーブルのサムネイル画像の表示制御数としてレジスタ格納データN＝１とする。
【００５４】
ステップS２３で、システム制御部４は、レジスタ格納データNが、最大サムネイル表示数（TMAX）を超えたか否かを判断する。
【００５５】
ステップS２３でレジスタ格納データNが最大サムネイル表示数（TMAX）を超えていないときは、ステップS２４へ移行して、システム制御部４は、表示するサムネイル画像があるか否かを判断する。
【００５６】
ステップS２４で表示するサムネイル画像があるときは、ステップS２５へ移行して、システム制御部４は、サムネイル表示座表テーブルに、サムネイル表示座表テーブルのサムネイル画像の表示制御数Ｎとして、サムネイル画像を表示するように制御する。ステップS２６で、サムネイル表示座表テーブルのサムネイル画像の表示制御数としてレジスタ格納データN＝N＋1として、ステップS２３に戻ってステップS２３〜ステップS２６までの処理及び判断を繰り返す。
【００５７】
ステップS２３でレジスタ格納データNが最大サムネイル表示数（TMAX）を超えたとき、及びステップS２４で表示するサムネイル画像がなくなったときは、上述した動作を終了する。
【００５８】
図１０は、画像情報表示の動作を示すフローチャートである。
図１０において、ステップS３１で、画像情報表示制御をスタートすると、ステップS３２で、システム制御部４は、映像モードが、高精細度映像信号によるハイビジョン方式テレビジョンモニタ（HDTV）出力モードであるか標準映像信号による標準方式テレビジョンモニタ（SDTV）出力モードであるかを判断する。
【００５９】
ステップS３２で映像モードが高精細度映像信号によるハイビジョン方式テレビジョンモニタ（HDTV）出力モードであるときは、ステップS３３へ移行して、システム制御部４は、主画像を画面左側の画像表示領域に表示する。
【００６０】
そして、ステップS３４で、ヒストグラム情報を画面右下の情報表示領域に表示する。さらに、ステップS３５で、色成分情報を画面右上の情報表示領域に表示する。
【００６１】
また、ステップS３２で映像モードが標準映像信号による標準方式テレビジョンモニタ（SDTV）出力モードであるときは、ステップS３６へ移行して、システム制御部４は、主画像を画面全体に表示する。
【００６２】
ステップS３７で、ヒストグラム情報を画面右下に主画像に重ねて表示する。このとき、画像とヒストグラム情報とは重なる部分がある。
【産業上の利用可能性】
【００６３】
撮像装置をケーブルを介してNTSC方式のテレビジョンモニタに接続されるときとハイビジョン用のモニタに接続されたときに利用可能である。
【図面の簡単な説明】
【００６４】
【図１】本発明の実施の形態による撮像装置の構成を示すブロック図である。
【図２】テレビジョンモニタ用接続ケーブル配線図であり、図２ＡはNTSC/PAL方式TV用ケーブル配線例、図２Ｂはハイビジョン方式TV用ケーブル配線例である。
【図３】映像出力端子切り換え制御のフローチャートである。
【図４】モニタの画面表示例であり、図４Ａは解像度の低いNTSCモニタやLCD画面表示用の画面例、図４Ｂは解像度の高いハイビジョンモニタ用の画面例である。
【図５】モニタの画面情報表示例であり、図５Ａは解像度の低いNTSCモニタやLCD画面表示用の画面例、図５Ｂは解像度の高いハイビジョンモニタ用の画面例である。
【図６】モニタの画面表示の動作を示すフローチャートである。
【図７】テーブル構造を示す図である。
【図８】座標情報の表し方を示す図である。
【図９】サムネイル画像表示の動作を示すフローチャートである。
【図１０】画像情報表示の動作を示すフローチャートである。
【符号の説明】
【００６５】
１…撮像部、２…画像メモリ、３…画像処理部、４…システム制御部、５…記憶媒体、６…画像表示部、７…信号切り替え部、８…映像出力端子、９…切り替え状態表示LED、１０…ユーザー設定部、１１…HD方式映像信号、１２…SD方式映像信号、１３…切り替え信号、１４…接続及びケーブル種類検出信号、２４−１、３１−２…ケーブル接続検出端子、３１−１…ケーブル種類判別端子、３３…NTSC/PAL方式TV用ケーブル、３４…NTSC/PAL方式TV用端子、３５…ハイビジョン方式TV用ケーブル、３６…ハイビジョン方式TV用端子、４１、４４…ポジションバー、４２、４５…サムネイル画像、４３、４６…ＧＵＩ、５１…画面、５２、５４…画面の輝度のヒストグラム情報、５３…画像、５５…画面の色成分情報、７１…HDモードテーブル、７２…SDモードテーブル、７３…表示サムネイル数（TMAX）、７４…表示ＧＵＩ数（GMAX）、７５…座標、８１…座標情報
【図１】
2005101865.tif 000003
【図２】
2005101865.tif 000004
【図３】
2005101865.tif 000005
【図４】
2005101865.tif 000006
【図５】
2005101865.tif 000007
【図６】
2005101865.tif 000008
【図７】
2005101865.tif 000009
【図８】
2005101865.tif 000010
【図９】
2005101865.tif 000011
【図１０】
2005101865.tif 000012